【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
一般式（Ｉ）：
【化１】
1997118717.tif 000001
〔式中、
Ｍ1は、アクリル酸エステル、メタクリル酸エステル、２−クロロアクリル酸エステル及び２−フェニルアクリル酸エステル；場合によりＮ−低級アルキル置換であってもよい、アクリルアミド、メタクリルアミド、２−クロロアクリルアミド及び２−フェニルアクリルアミド；ビニルエーテル、ビニルエステル、スチレン誘導体並びにシロキサンよりなる群からの繰り返し単量体単位を表し、
Ｓ1は、共有単結合、又は−（ＣＨ2)r−、−（ＣＨ2)r−Ｏ−、−（ＣＨ2)r−Ｏ−（ＣＨ2)s−、−（ＣＨ2)r−Ｏ−（ＣＨ2)s−Ｏ−、−（ＣＨ2)r−ＣＯ−、−（ＣＨ2)r−ＣＯ−Ｏ−、−（ＣＨ2)r−Ｏ−ＣＯ−、−（ＣＨ2)r−ＮＲ2−、−（ＣＨ2)r−ＣＯ−ＮＲ2−、−（ＣＨ2)r−ＮＲ2−ＣＯ−、−（ＣＨ2)r−ＮＲ2−ＣＯ−Ｏ−若しくは−（ＣＨ2)r−ＮＲ2−ＣＯ−ＮＲ3−（ここで、これらは、場合によりフッ素、塩素若しくはシアノでモノ−又は多置換されていてもよく、ｒ及びｓは、それぞれ１〜２０の整数であるが、但しｒ＋ｓ≦２０であり、そしてＲ2及びＲ3は、それぞれ独立に、水素若しくは低級アルキルを表す）で示される、直鎖又は分岐鎖アルキレンのような連結基単位を表し、
環Ａは、非置換、又は場合によりフッ素、塩素、シアノ、アルキル若しくはアルコキシ置換のフェニレン、あるいはピリジン−２，５−ジイル、ピリミジン−２，５−ジイル、１，３−ジオキサン−２，５−ジイル、シクロヘキサン−１，４−ジイル、ピペリジン−１，４−ジイル又はピペラジン−１，４−ジイルを表し、
環Ｂは、非置換、又は場合によりフッ素、塩素、シアノ、アルキル若しくはアルコキシ置換のフェニレン、あるいはピリジン−２，５−ジイル、ピリミジン−２，５−ジイル、１，４−若しくは２，６−ナフチレン、１，３−ジオキサン−２，５−ジイル又はシクロヘキサン−１，４−ジイルを表し、
Ｙ1及びＹ2は、それぞれ独立に、共有単結合、又は−（ＣＨ2)t−、−Ｏ−、−ＣＯ−、−ＣＯ−Ｏ−、−Ｏ−ＯＣ−、−ＮＲ4−、−ＣＯ−ＮＲ4−、−Ｒ4Ｎ−ＣＯ−、−（ＣＨ2)u−Ｏ−、−Ｏ−（ＣＨ2)u−、−（ＣＨ2)u−ＮＲ4−若しくは−ＮＲ4−（ＣＨ2)u−（ここで、Ｒ4は、水素又は低級アルキルを表し、ｔは、１〜４の整数を表し、そしてｕは、１〜３の整数を表す）を表し、
ｍ及びｎは、それぞれ独立に、０又は１を表し、
環Ｃは、非置換、又は場合によりフッ素、塩素、シアノ、アルキル若しくはアルコキシ置換のフェニレン、あるいはピリミジン−２，５−ジイル、ピリジン−２，５−ジイル、２，５−チオフェニレン、２，５−フラニレン又は１，４−若しくは２，６−ナフチレンを表し、
Ｚは、−Ｏ−若しくは−ＮＲ5−（ここで、Ｒ5は、水素又は低級アルキルを表す）、又は式：Ｄの別の基を表し、
Ｄは、炭素原子数１〜２０の直鎖若しくは分枝鎖アルキレン基（ここで、これらは、場合によりフッ素又は塩素で置換されていてもよい）、又は環員原子数３〜８のシクロアルキル残基（ここで、これらは、場合によりフッ素、塩素、アルキル又はアルコキシで置換されていてもよい）を表す〕
で示される繰り返し単位を有する重合体。
【請求項２】
Ｍ1が、請求項１と同義であり、
環Ａが、非置換、又は場合によりフッ素、塩素、シアノ、アルキル若しくはアルコキシ置換のフェニレン、あるいはピリジン−２，５−ジイル、ピリミジン−２，５−ジイル又はシクロヘキサン−１，４−ジイルを表し、
環Ｂが、非置換、又は場合によりフッ素、塩素、シアノ、アルキル若しくはアルコキシ置換のフェニレン、あるいはピリジン−２，５−ジイル、ピリミジン−２，５−ジイル、１，４−若しくは２，６−ナフチレン又はシクロヘキサン−１，４−ジイルを表し、
Ｙ1及びＹ2が、それぞれ独立に、共有単結合、−ＣＨ2ＣＨ2−、−Ｏ−、−ＣＨ2Ｏ−、−Ｏ−ＣＨ2−、−ＣＯ−Ｏ−又は−Ｏ−ＯＣ−を表し、
ｍ及びｎが、それぞれ独立に、０又は１を表し、
環Ｃが、非置換、又は場合によりフッ素、塩素、シアノ、アルキル若しくはアルコキシ置換のフェニレン、あるいはピリミジン−２，５−ジイル、ピリジン−２，５−ジイル、２，５−フラニレン又は１，４−若しくは２，６−ナフチレンを表し、
Ｚが、−Ｏ−を表し、そして
Ｄが、炭素原子数１〜２０の直鎖若しくは分枝鎖アルキレン基、又は場合によりアルキル若しくはアルコキシで置換されていてもよい、環員原子数５〜６のシクロアルキル残基を表す、請求項１記載の重合体。
【請求項３】
Ｍ1が、請求項１と同義であり、
環Ｂが、非置換、又は場合によりフッ素、塩素、シアノ、アルキル若しくはアルコキシ置換のフェニレン、あるいはピリジン−２，５−ジイル、ピリミジン−２，５−ジイル又はシクロヘキサン−１，４−ジイルを表し、
Ｙ2が、共有単結合、−ＣＯ−Ｏ−又は−Ｏ−ＯＣ−を表し、
ｍが、０又は１を表し、
ｎが、０を表し、
環Ｃが、非置換、又は場合によりフッ素、塩素、シアノ、アルキル若しくはアルコキシ置換のフェニレン、又は１，４−若しくは２，６−ナフチレンを表し、
Ｚが、−Ｏ−を表し、そして
Ｄが、炭素原子数１〜１２の直鎖又は分枝鎖アルキレン基を表す、請求項１又は２記載の重合体。
【請求項４】
一般式（Ｉａ）：
【化２】
1997118717.tif 000002
〔式中、
Ｍ1、Ｓ1、Ａ、Ｂ、Ｃ、Ｄ、Ｚ、Ｙ1、Ｙ2、ｍ及びｎは、請求項１と同義であり、
Ｍ1′、Ｓ1′、Ａ′、Ｂ′、Ｃ′、Ｄ′、Ｚ′、Ｙ1′、Ｙ2′、ｍ′及びｎ′は、Ｍ1、Ｓ1、Ａ、Ｂ、Ｃ、Ｄ、Ｚ、Ｙ1、Ｙ2、ｍ及びｎとして請求項１に表したものと同義であり、
Ｍ2は、アクリル酸エステル、メタクリル酸エステル、２−クロロアクリル酸エステル若しくは２−フェニルアクリル酸エステル；場合によりＮ−低級アルキル置換であってもよい、アクリルアミド、メタクリルアミド、２−クロロアクリルアミド若しくは２−フェニルアクリルアミド；ビニルエーテル若しくはビニルエステル；アクリル酸若しくはメタクリル酸の、直鎖若しくは分枝鎖アルキルエステル、アクリル酸若しくはメタクリル酸のアリルエステル、アルキルビニルエーテル若しくはエステル、アクリル酸フェノキシアルキルエステル若しくはメタクリル酸フェノキシアルキルエステル、アクリル酸フェニルアルキルエステル若しくはメタクリル酸フェニルアルキルエステル、アクリル酸ヒドロキシアルキルエステル若しくはメタクリル酸ヒドロキシアルキルエステル（ここで、これらのアルキル残基は、炭素原子数が１〜２０である）；あるいはアクリロニトリル、メタクリロニトリル、スチレン、４−メチルスチレン又はシロキサンよりなる群からの繰り返し単量体単位を表し、
ｗ、ｗ1及びｗ2は、０＜ｗ＜１、０＜ｗ1＜１、かつ０＜ｗ2≦０．５である共単量体のモル分率である〕
で示される繰り返し単位を有する、請求項１記載の共重合体。
【請求項５】
Ｍ1及びＳ1が、請求項１と同義であり、
Ｍ1′及びＳ1′が、Ｍ1及びＳ1として請求項１に表したものと同義であり、
Ｍ2が、請求項４と同義であり、
Ａ、Ｂ、Ｃ、Ｄ、Ｚ、Ｙ1、Ｙ2、ｍ及びｎが、請求項２と同義であり、
Ａ′、Ｂ′、Ｃ′、Ｄ′、Ｚ′、Ｙ1′、Ｙ2′、ｍ′及びｎ′が、Ａ、Ｂ、Ｃ、
Ｄ、Ｚ、Ｙ1、Ｙ2、ｍ及びｎとして請求項２に表したものと同義であり、
ｗ、ｗ1及びｗ2が、０＜ｗ＜１、０＜ｗ1＜１、かつ０＜ｗ2≦０．５である共単量体のモル分率である一般式（Ｉａ）の繰り返し単位を有する、請求項４記載の共重合体。
【請求項６】
ｎ及びｎ′が、０を表す、請求項５記載の共重合体。
【請求項７】
Ｍ1及びＳ1が、請求項１と同義であり、
Ｍ1′及びＳ1′が、Ｍ1及びＳ1として請求項１に表したものと同義であり、
Ｍ2が、請求項４と同義であり、
Ｂ、Ｃ、Ｄ、Ｚ、Ｙ2及びｍが、請求項３と同義であり、
Ｂ′、Ｃ′、Ｄ′、Ｚ′、Ｙ2′及びｍ′が、Ｂ、Ｃ、Ｄ、Ｚ、Ｙ2及びｍとして請求項３に表したものと同義であり、
ｗ、ｗ1及びｗ2が、０＜ｗ＜１、０＜ｗ1＜１、かつ０＜ｗ2≦０．５である共単量体のモル分率である、請求項６記載の共重合体。
【請求項８】
ポリ〔１−〔２−〔４−〔（Ｅ）−２−メトキシカルボニルビニル〕フェノキシ〕エトキシカルボニル〕−１−メチルエチレン−ＣＯ−１−〔２−〔４−〔（Ｅ）−２−プロポキシカルボニルビニル〕フェノキシ〕エトキシカルボニル〕−１−メチルエチレン−ＣＯ−１−〔２−ヒドロキシエトキシカルボニル〕−１−メチルエチレン〕である、請求項７記載の共重合体。
【請求項９】
一般式（Ｉｂ）：
【化３】
1997118717.tif 000003
〔式中、
Ｍ1、Ｓ1、Ａ、Ｂ、Ｃ、Ｄ、Ｚ、Ｙ1、Ｙ2、ｍ及びｎは、請求項１と同義であり、
Ｍ2は、請求項４と同義であり、
ｗ及びｗ2は、０＜ｗ＜１、かつ０＜ｗ2≦０．５である共単量体のモル分率である〕で示される繰り返し単位を有する、請求項１記載の共重合体。
【請求項１０】
Ｍ1及びＳ1が、請求項１と同義であり、
Ｍ2が、請求項４と同義であり、
Ａ、Ｂ、Ｃ、Ｄ、Ｚ、Ｙ1、Ｙ2、ｍ及びｎが、請求項２と同義であり、
ｗ及びｗ2が、０＜ｗ＜１かつ０＜ｗ2≦０．５である共単量体のモル分率である一般式（Ｉｂ）の繰り返し単位を有する、請求項９記載の共重合体。
【請求項１１】
ｎが、０を表す、請求項１０記載の共重合体。
【請求項１２】
Ｍ1及びＳ1が、請求項１と同義であり、
Ｍ2が、請求項４と同義であり、
Ｂ、Ｃ、Ｄ、Ｚ、Ｙ2及びｍが、請求項３と同義であり、
ｗ及びｗ2が、０＜ｗ＜１、かつ０＜ｗ2≦０．５である共単量体のモル分率である、請求項１１記載の共重合体。
【請求項１３】
ポリ〔１−〔６−〔４−〔４−〔（Ｅ）−２−メトキシカルボニルビニル〕フェノキシカルボニル〕フェノキシ〕ヘキシルオキシカルボニル〕−１−メチルエチレン−ＣＯ−１−〔２−エチルヘキシルオキシカルボニル〕−１−メチルエチレン〕；
ポリ〔１−〔６−〔４−〔２−メトキシ−４−〔（Ｅ）−２−メトキシカルボニルビニル〕フェノキシカルボニル〕フェノキシ〕ヘキシルオキシカルボニル〕−１−メチルエチレン−ＣＯ−１−エトキシカルボニル−１−メチルエチレン〕；又は
ポリ〔１−〔６−〔４−〔２−メトキシ−４−〔（Ｅ）−２−メトキシカルボニルビニル〕フェノキシカルボニル〕フェノキシ〕ヘキシルオキシカルボニル〕−１−メチルエチレン−ＣＯ−１−〔２−エチルヘキシルオキシカルボニル〕−１−メチルエチレン〕である、請求項１２記載の共重合体。
【請求項１４】
一般式（Ｉｃ）：
【化４】
1997118717.tif 000004
〔式中、
Ｍ1、Ｓ1、Ａ、Ｂ、Ｃ、Ｄ、Ｚ、Ｙ1、Ｙ2、ｍ及びｎは、請求項１と同義であり、
Ｍ1′、Ｓ1′、Ａ′、Ｂ′、Ｃ′、Ｄ′、Ｚ′、Ｙ1′、Ｙ2′、ｍ′及びｎ′は、
Ｍ1、Ｓ1、Ａ、Ｂ、Ｃ、Ｄ、Ｚ、Ｙ1、Ｙ2、ｍ及びｎとして請求項１に表したものと同義であり、
ｗ及びｗ1は、０＜ｗ＜１かつ０＜ｗ1＜１である共単量体のモル分率である〕
で示される繰り返し単位を有する、請求項１記載の共重合体。
【請求項１５】
Ｍ1及びＳ1が、請求項１と同義であり、
Ｍ1′及びＳ1′が、Ｍ1、Ｓ1として請求項１に表したものと同義であり、
Ａ、Ｂ、Ｃ、Ｄ、Ｚ、Ｙ1、Ｙ2、ｍ及びｎが、請求項２と同義であり、
Ａ′、Ｂ′、Ｃ′、Ｄ′、Ｚ′、Ｙ1′、Ｙ2′、ｍ′及びｎ′が、Ａ、Ｂ、Ｃ、
Ｄ、Ｚ、Ｙ1、Ｙ2、ｍ及びｎとして請求項２に表したものと同義であり、
ｗ及びｗ1が、０＜ｗ＜１、かつ０＜ｗ1＜１である共単量体のモル分率である一般式（Ｉｃ）の繰り返し単位を有する、請求項１４記載の共重合体。
【請求項１６】
ｎ及びｎ′が、０を表す、請求項１５記載の共重合体。
【請求項１７】
Ｍ1及びＳ1が、請求項１と同義であり、
Ｍ1′及びＳ1′が、Ｍ1及びＳ1として請求項１に表したものと同義であり、
Ｂ、Ｃ、Ｄ、Ｚ、Ｙ2及びｍが、請求項３と同義であり、
Ｂ′、Ｃ′、Ｄ′、Ｚ′、Ｙ2′及びｍ′が、Ｂ、Ｃ、Ｄ、Ｚ、Ｙ2及びｍとして請求項３に表したものと同義であり、
ｗ及びｗ1が、０＜ｗ＜１、かつ０＜ｗ1＜１である共単量体のモル分率である、請求項１６記載の共重合体。
【請求項１８】
ポリ〔１−〔６−〔４−〔２−メトキシ−４−〔（Ｅ）−２−メトキシカルボニルビニル〕フェノキシカルボニル〕フェノキシ〕ヘキシルオキシカルボニル〕−１−メチルエチレン−ＣＯ−１−〔２−〔４−〔２−メトキシ−４−〔（Ｅ）−２−メトキシカルボニルビニル〕フェノキシカルボニル〕フェノキシ〕エトキシカルボニル〕−１−メチルエチレン〕である、請求項１７記載の共重合体。
【請求項１９】
一般式（Ｉ）：
【化５】
1997118717.tif 000005
〔式中、
Ｍ1、Ｓ1、Ａ、Ｂ、Ｃ、Ｄ、Ｚ、Ｙ1、Ｙ2、ｍ及びｎは、請求項１と同義である〕
で示される繰り返し単位を有する、請求項１記載の単独重合体。
【請求項２０】
ポリ〔１−〔３−〔４−〔４′−〔（Ｅ）−２−メトキシカルボニルビニル〕ビフェニル−４−イル〕シクロヘキシル〕プロポキシカルボニル〕−１−メチルエチレン〕である、請求項１９記載の単独重合体。
【請求項２１】
Ｍ1及びＳ1が、請求項１と同義であり、
Ａ、Ｂ、Ｃ、Ｄ、Ｚ、Ｙ1、Ｙ2、ｍ及びｎが、請求項２と同義である一般式（Ｉ）の繰り返し単位を有する、請求項１９記載の単独重合体。
【請求項２２】
ｎが、０を表す、請求項１９記載の単独重合体。
【請求項２３】
Ｍ1及びＳ1が、請求項１と同義であり、
Ａ、Ｂ、Ｃ、Ｄ、Ｚ、Ｙ2及びｍが、請求項３と同義である、請求項２２記載の単独重合体。
【請求項２４】
ポリ〔１−〔４−〔（Ｅ）−２−メトキシカルボニルビニル〕フェノキシカルボニル〕−１−メチルエチレン〕、
ポリ〔１−〔４−〔（Ｅ）−２−メトキシカルボニルビニル〕フェニルアミノカルボニル〕−１−メチルエチレン〕、
ポリ〔１−〔２−〔４−〔（Ｅ）−２−メトキシカルボニルビニル〕フェノキシ〕エトキシカルボニル〕−１−メチルエチレン〕、
ポリ〔１−〔６−〔４−〔２−メトキシ−４−〔（Ｅ）−２−メトキシカルボニルビニル〕フェノキシカルボニル〕フェノキシ〕ヘキシルオキシカルボニル〕−１−メチルエチレン〕、
ポリ〔１−〔６−〔４−〔４−〔（Ｅ）−２−メトキシカルボニルビニル〕フェノキシカルボニル〕フェノキシ〕ヘキシルオキシカルボニル〕−１−メチルエチレン〕、
ポリ〔オキシ−〔４−〔４−〔４−〔（Ｅ）−２−メトキシカルボニルビニル〕フェノキシカルボニル〕フェノキシ〕ブチル〕−メチルシリレン〕、又は
ポリ〔１−〔２−〔（Ｅ）−２−メトキシカルボニルビニル〕ナフタリン−６−イルオキシカルボニル〕−１−メチルエチレン〕である、請求項２３記載の単独重合体。
【請求項２５】
４−（ブタ−３−エニルオキシ）安息香酸４−〔（Ｅ）−２−メトキシカルボニルビニル〕フェニルエステル。
【請求項２６】
４−〔６−（２−メチルアクリロイルオキシ）ヘキシルオキシ〕安息香酸２−メトキシ−４−〔（Ｅ）−２−メトキシカルボニルビニル〕フェニルエステル。
【請求項２７】
液晶の配向層として、３−アリールアクリル酸のエステル及びアミドである請求項１〜２４いずれか１項記載の架橋結合しうる光活性の重合体材料を含むことを特徴とする電気光学装置。
【請求項２８】
非−構造化又は構造化光学要素及び多層系の製造のための、３−アリールアクリル酸のエステル及びアミドである請求項１〜１５いずれか１項記載の架橋結合しうる光活性の重合体材料。